(57)【要約】【課題】  両カップと連結部との接続部分が容易に裂けてしまうのを防止し、かつ左右のバランスよく容易にバストアップを図る。【解決手段】  カップ形状のシリコーンゴム層２と、シリコーンゴム層２の内面に設けられた粘着性を有するシリコーンゲル層３とを備えた一対のカップ４と、両カップ４を使用状態において並置させたとき両カップ４が相互に対向する部分を連結する連結部５とを有し、連結部５を、シリコーンゴム層２と同一材料のシリコーンゴムによりシリコーンゴム層２と一体に形成する。【選択図】      図４
2005336645.tif 000002
【特許請求の範囲】
【請求項１】
乳房の全部または一部を被覆するようなカップ形状のシリコーンゴム層と、前記シリコーンゴム層の内面に設けられた粘着性を有するシリコーンゲル層とを備えた一対のカップと、
前記両カップを使用状態において並置させたとき前記両カップが相互に対向する部分を連結する連結部とを有し、
前記連結部は、前記シリコーンゴム層と同一材料のシリコーンゴムにより前記シリコーンゴム層と一体に形成されていることを特徴とするブラジャー。
【請求項２】
前記両カップの厚みが、中心部で厚く、前記両カップを水平面上に伏せたときの等高線の高さにほぼ比例して、周辺にいくにしたがって薄くなるように形成されていることを特徴とする請求項１に記載のブラジャー。
【請求項３】
前記シリコーンゴム層を構成するシリコーンゴムと、前記シリコーンゲル層を構成するシリコーンゲルとが付加反応型のシリコーンであることを特徴とする請求項１または２に記載のブラジャー。
【発明の詳細な説明】
【技術分野】
【０００１】
本発明は、乳房の全部または一部を被覆し、その形状を整えるブラジャーに関するものである。
【背景技術】
【０００２】
従来のブラジャーは、乳房を被覆する一対のカップを、装着時における背中部分に位置するように両カップに連設されるバック部、および両カップを肩から吊すためのストラップ（吊り紐）により体に固定させて装着するものが一般的である。一方、近年、背中部分が大きく開いた服やランニング等を着る女性のために、前記ストラップや前記バック部がない構造のブラジャーが提案されている。
【０００３】
このようなストラップやバック部がないブラジャーとして、例えば、一対の両カップが、ウレタンやポリオレフィンの如き熱可塑性のフィルムからなる袋体の内部に肌の感触に近い硬さの一定量のシリコーンゲルを充填して構成されており、両カップの内面には、両カップを使用者の皮膚に粘着させる粘着層が設けられているものがある。
【０００４】
これら両カップを構成するフィルムからなる袋体には、前記両カップを使用状態において並置させたとき前記両カップが相互に対向する部分に、それぞれ連結部品が接続されており、各連結部品を係合させることにより両カップを連結させるようになっている。
【０００５】
そして、前記ブラジャーは、各カップを粘着層によりそれぞれ皮膚上に粘着支持させた後、両カップを相互に近接させながら連結部品を係合することにより連結させて装着するようになっている。このようなブラジャーによれば、カップの内側に粘着された使用者の左右の乳房を近接させることができるので、両カップを粘着させる位置を調整することにより、乳房間に形成される谷間の深さや、バストアップの高さを調整することができた（例えば、特許文献１および特許文献２参照）。
【０００６】
しかしながら、前述のブラジャーにおいては、両カップの袋体内部に肌の感触に近い硬さのシリコーンゲルが充填されいるが、このようなシリコーンゲルは弾性率が小さいので、適度なバストアップを図るためには各連結部品を強く引き寄せて左右の乳房を近接させる必要があった。このため、各連結部品と各袋体との接続部分に大きな荷重がかかってしまうので、各袋体における前記接続部分のフィルムが裂けやすいという問題を有していた。
【０００７】
また、両カップは独立しているため、左右の乳房に体裁よく、しかもバランスよく装着することが困難であるという欠点を有していた。
【０００８】
【特許文献１】実用新案登録第３０９５３４９号
【特許文献２】特開２００４−３１０２号
【発明の開示】
【発明が解決しようとする課題】
【０００９】
本発明は、これらの点に鑑みてなされたものであり、両カップと連結部との接続部分が容易に裂けてしまうのを防止し、かつ左右のバランスよく容易に装着することができ、ひいてはバストアップを図ることができるブラジャーを提供することを目的とする。
【課題を解決するための手段】
【００１０】
前述した目的を達成するため、本発明に係るブラジャーの特徴は、乳房の全部または一部を被覆するカップ形状のシリコーンゴム層と、前記シリコーンゴム層の内面に設けられた粘着性を有するシリコーンゲル層とを備えた一対のカップと、前記両カップを使用状態において並置させたとき前記両カップが相互に対向する部分を連結する連結部とを有し、前記連結部は、前記シリコーンゴム層と同一材料のシリコーンゴムにより前記シリコーンゴム層と一体に形成されている点にある。
【００１１】
本発明によれば、シリコーンゴム層と連結部とは同一材料のシリコーンゴムによって一体に形成されているので、連結部と両カップとの接続部分の引っ張り強度を向上させることができる。
【００１２】
また、連結部はシリコーンゴムにより形成されているので、ブラジャーの装着時において両カップを相互に近接させる方向に引っ張ることができ、これにより左右の乳房を近接させて適度な谷間を形成することができる。
【００１３】
また、本発明に係るブラジャーを、前記両カップの厚みが、中心部で厚く、前記両カップを水平面上に伏せたときの等高線の高さにほぼ比例して、周辺にいくにしたがって薄くなるように形成してもよく、これにより、装着性や皮膚への密着性を損なうことなく、より自然にバストアップを図ることができる。
【００１４】
ここで、本発明において中心部とは、両カップを水平面上に伏せたときの最高点をいう。
【００１５】
さらに、前記シリコーンゴム層を構成するシリコーンゴムと、前記シリコーンゲル層を構成するシリコーンゲルとを付加反応型のシリコーンとすることにより、シリコーンゴム層にシリコーンゲル層を容易かつ確実に接着させることができる。
【発明の効果】
【００１６】
したがって、本発明に係るブラジャーによれば、連結部と両カップとの接続部分の引っ張り強度を向上させることができるので、前記接続部分が容易に裂けてしまうのを防止することができる。また、左右の乳房を近接させて適度な谷間を形成することができるので、左右のバランスよく容易に装着することができ、ひいてはバストアップを図ることができるという効果を有する。
【発明を実施するための最良の形態】
【００１７】
以下、本発明に係るブラジャーの一実施形態について図１から図８を参照して説明する。
【００１８】
図１は、本実施形態に係るブラジャーを示す正面図であり、図１に示すように、本ブラジャー１は、乳房の全部または一部を被覆するカップ４形状のシリコーンゴム層２と、シリコーンゴム層２の内面に設けられた粘着性を有するシリコーンゲル層３とを備えた一対のカップ４を有する。
【００１９】
シリコーンゴム層２は、例えば、ジメチルポリシロキサンに充填材等を混練りしたシリコーンのゴムコンパウンド等のシリコーンゴムにより形成されている。
【００２０】
ここで、本発明においてシリコーンゴムとは、シリコーン基本構成単位が連鎖となったシリコーンポリマーのうち、弾性率が１０５  Ｎ／ｍ２  以上のものをいう。
【００２１】
なお、このシリコーンゴム層２に用いられるシリコーンゴムとしては、過酸化物型、付加反応型（付加型と同義）、縮合型等、特に制限されるものではないが、両カップ４の表面をなるべく肌の感触に近い硬さとするためには、低硬度に作り易い付加反応型の液状シリコーンゴムを用いることが望ましい。
【００２２】
また、前記シリコーンゴムとしては、例えば加硫後において、ＪＩＳ  Ｋ６２５３に規定されているタイプＥのデュロメータが１０〜８０の範囲の硬さ（ゴム硬度）のシリコーンゴムから任意に選択することができる。なお、シリコーンゴムのゴム硬度と、物理強度、圧縮永久歪み等の機械的特性とのバランスの上からは、前記タイプＥのデュロメータが２０〜５０の範囲のシリコーンゴムを用いることが望ましい。
【００２３】
さらに、前記シリコーンゴムに対する充填材等の配合処方は、特に制限されるものではなく、硬化したシリコーンゴム層２の機械的特性を考慮して決定されるものである。前記充填材としては、アエロジルやCab-O-Sil で代表されるヒュームドシリカ、Hi-Silやニップシルの如き湿式シリカ、セライトやラジオライトの如きけいそう土、ミヌシルやクリスタライトの如き石英粉等が例示され、これらの充填材を通常は数種類組み合わせて使用する。
【００２４】
シリコーンゲル層３に用いられるシリコーンゲルとは、シリコーン基本構成単位が連鎖となったシリコーンポリマーのうち、長い分子鎖の一部ができた低架橋密度のものであって、弾性率が１０５  Ｎ／ｍ２  以下のものをいう。
【００２５】
前記シリコーンゲルとしては、耐熱安定性があり硬化収縮が小さい等の点から、付加反応型が主として採用されている。
【００２６】
また、前記シリコーンゲルとしては、ＫＥ１０４Ｇｅｌ，ＫＥ１０５１Ｊ（Ａ/Ｂ），ＫＥ１０５２（Ａ/Ｂ），ＫＥ１１０Ｇｅｌ（以上、信越化学工業株式会社製商品名）、ＳＥ４４００，ＳＥ４４１０，ＳＥ４４３０，ＳＥ４４４０ＬＰ，ＳＥ４４４５ＣＶ（以上、東レ・ダウコーニング・シリコーン株式会社製商品名）、ＴＳＥ３０６２，ＴＳＥ３０６５，ＴＳＥ３０７０，ＴＳＪ３１７０，ＹＥ５８１８（以上、ＧＥ東芝シリコーン株式会社製商品名）、ＷＡＣＫＥＲ  ＳｉｌＧｅｌ  ６１２，ＥＬＡＳＴＯＳＩＬ  Ｐ７６１６−１９５（以上、旭化成ワッカーシリコーン株式会社製商品名）等が例示される。
【００２７】
このようなシリコーンゲルとしては、例えば硬化後において、ＪＩＳ  Ｋ２２２０に規定されている針入度が２０〜１００の範囲の硬さのシリコーンゲルから任意に選択することができるが、シリコーンゲルの硬さと粘着特性とのバランスの上からは、針入度が４０〜７０の範囲のシリコーンゲルを用いることが望ましい。なお、針入度が２０より小さくなると、シリコーンゲルが硬くなってしまうため粘着の効果が少なくなってしまい、一方、針入度が１００を越える場合には、軟らかすぎて取扱いが困難であるという不具合が発生する。
【００２８】
また、シリコーンゲル層３は、シリコーンゲル層３自体の粘着力によりまたは接着剤を用いてシリコーンゴム層２に接着されている。
【００２９】
ここで、加硫した付加反応型シリコーンゴムからなるシリコーンゴム層２に、未硬化の付加反応型シリコーンゲルを塗布した後、前記シリコーンゲルを加硫してシリコーンゲル層３を形成すると、前記シリコーンゴム層２に対する前記シリコーンゲル層３の接着性が良好となるので、シリコーンゴム層２とシリコーンゲル層３との接着において接着剤を用いる必要はない。また、このような場合であっても、シリコーンゲル層３の粘着力が低下する場合には、シリコーンゴム層２とシリコーンゲル層３との接着においてＸ−３３−１３９（信越化学工業株式会社製商品名）の如きシリコーン系のプライマーを適時使用することにより、シリコーンゲル層３の粘着力の低下を回避することができる。
【００３０】
両カップ４は、図２に示すように、それらの厚みが、中心部で厚く、両カップ４を水平面上に伏せたとき図３に示す等高線の高さに比例して、周辺に行くにしたがって薄くなるように形成されている。
【００３１】
ブラジャー１は、前記両カップ４を使用状態において並置させたとき前記両カップ４が相互に対向する部分を連結する連結部５とを有し、連結部５は、図４に示すように、シリコーンゴム層２と同一材料のシリコーンゴムによりシリコーンゴム層２と一体に形成されている。本実施形態においては、連結部５は、前記両カップ４を並置させたとき、隣位するカップ４と最も近接する部分を相互に連結する略長方形状に形成されている。
【００３２】
なお、連結部５の形状は、図１に示す略長方形状のものに限定されるものではない。例えば、連結部５を、図５に示すように、図１に示す連結部５と比較して両カップ４との各接続部分の幅寸法が連結部５の中心部の幅寸法よりも長く、両カップ４に対してなだらかな曲線状に接続される形状に形成してもよい。また、連結部を、図６に示すように、図５に示す連結部５と比較してより大きく、両カップ４との各接続部分の幅寸法がより長く、両カップ４に対してよりなだらかな曲線状に接続されるように形成してもよい。さらに、連結部５を、図７に示すように、連結部５と両カップ４とがそれぞれ２カ所において接続される略Ｘ字型の形状に形成し、両カップ４に対してなだらかな曲線状に接続されるように形成してもよく、さらには、図８に示すように、連結部５と両カップ４とが３カ所において接続される形状に形成してもよい。
【００３３】
また、ブラジャー１を肌色に近い色彩にしたりまたは装飾性を付与するため、シリコーンゴム層２および連結部５の材料となるリコーンゴムや、シリコーンゲル層３の材料となるシリコーンゲルに、着色のための種々の顔料や染料を０．１〜５重量部程度添加してもよい。前記顔料や染料としては、酸化チタン、ベンガラ、黒ベンガラ等の金属酸化物やニグロシン、フタロシアニン化合物、リソールレッド、ベンジジンエロー等の有機染料等を例示することができる。
【００３４】
本実施形態によれば、連結部５は両カップ４のシリコーンゴム層２と接続されており、シリコーンゴム層２と連結部５とは同一材料のシリコーンゴムによって一体に形成されており、連結部５と両カップ４との接続部分の引っ張り強度を向上させることができる。
【００３５】
したがって、両カップ４と連結部５との接続部分が容易に裂けてしまうのを防止することができる。
【００３６】
また、図５〜図８に示すブラジャー１のように、両カップ４と連結部５との接続部分の幅寸法を長く形成したり、連結部５と両カップ４とをそれぞれ複数カ所において接続させたり、さらには連結部５を両カップ４に対してよりなだらかな曲線状に接続される形状とすることにより、前記接続部分における荷重による応力を分散させることができる。これにより、両カップ４と連結部５との接続部分が容易に裂けてしまうのを防止することができる。
【００３７】
さらにまた、連結部５はシリコーンゴムにより形成されているので、ブラジャー１の装着時において両カップ４を相互に近接させる方向に引っ張ることができる。これにより左右の乳房を近接させて適度な谷間を形成することができるので、容易にバストアップを図ることができるという効果を有する。
【００３８】
また、両カップ４の厚みが、中心部で厚く、両カップ４を水平面上に伏せたときの等高線の高さにほぼ比例して、周辺にいくにしたがい薄くなるように形成されているので、装着性や皮膚への密着性を損なうことなく、より自然にバストアップを図ることができるという効果を有する。
【００３９】
さらに、シリコーンゴム層２を構成するシリコーンゴムと、シリコーンゲル層３を構成するシリコーンゲルとが付加反応型のシリコーンであり、シリコーンゴム層２にシリコーンゲル層３を容易かつ確実に接着することができる。
【００４０】
なお、本発明は前記実施形態に限定されるものではなく、必要に応じて種々変更することが可能である。
【００４１】
例えば、本実施形態におけるブラジャー１は、両カップ４のシリコーンゲル層３により皮膚上に粘着させて装着するものであるが、これに限定されず、装着時における背中部分に位置するように両カップ４に連設されるバック部を有し、シリコーンゲル層３および前記バック部により両カップ４を体に固定して装着するものであってもよい。
【実施例】
【００４２】
次に、本発明の実施例を以下に示すが、本発明はこれらの実施例に限定されるものではない。
【００４３】
実施例１
まず、ブラジャーの金型を作成し、この金型に付加反応型の液状シリコーンゴムとしてＫＥ１９５０−１０Ａ/Ｂ（信越化学工業株式会社製商品名）を注入し、１２０℃で加熱して加硫させてシリコーンゴム層および連結部を成型した。このカップ状のシリコーンゴム層の内面に付加反応型シリコーンゲルとしてＫＥ１０５２（Ａ/Ｂ）を室温において塗布し、２４時間放置して前記シリコーンゲルを硬化させて、シリコーンゲル層を成型した。これにより、左右のカップがシリコーンゴム層と一体成型された連結部によって連結された、ストラップおよびバック部のない形状のブラジャーを形成した。
【００４４】
このとき両カップを、両カップの並列方向と平行な方向の幅寸法の最長部が１２０mm、最短部が８５mm、両カップを水平面上に伏せたときの両カップの高さ寸法が３０mm、両カップの厚みの最も厚い部分（中心部分）が５mmとなるように形成した。
【００４５】
実施例２
実施例１と同様の金型でシリコーンゴム層および連結部を成型した後、シリコーンゴム層にバック部を取り付けた。そして、シリコーンゴム層の内面に付加反応型シリコーンゲルを塗布し、これにより、左右のカップがシリコーンゴム層と一体成型された連結部によって連結された、バック部を有する形状のブラジャーを形成した。実施例２のブラジャーの両カップの寸法も、実施例１と同様とした。
【００４６】
これらの実施例１、実施例２について３０代の女性に対してモニターテストを実施した。
【００４７】
その結果、実施例１のブラジャーを装着すると、ほぼ全員において、１０〜２０ｍｍのバストアップ効果がみられ、８時間の装着後も前記ブラジャーが外れることはなかった。また、連結部がカップのシリコーンゴム層と一体成型されたシリコーンゴムにより形成されているので、連結部により左右のカップが相互に近接する結果、左右の乳房が近接して両乳房間に適度な谷間を形成することができた。さらに、実施例２のブラジャーにおいては、実施例１のブラジャーと同様に両乳房間に適度な谷間を形成することができたのみならず、実施例１と比較して、乳房の垂れ下がりを矯正することができた。
【図面の簡単な説明】
【００４８】
【図１】本発明に係るブラジャーの一実施形態を示す平面図
【図２】図１に示すブラジャーのＡ−Ａにおける断面図
【図３】図１に示すブラジャーの等高線を示す平面図
【図４】図１に示すブラジャーのＢ−Ｂにおける断面図
【図５】本発明に係るブラジャーの他の実施形態を示す平面図
【図６】本発明に係るブラジャーの他の実施形態を示す平面図
【図７】本発明に係るブラジャーの他の実施形態を示す平面図
【図８】本発明に係るブラジャーの他の実施形態を示す平面図
【符号の説明】
【００４９】
１  ブラジャー
２  シリコーンゴム層
３  シリコーンゲル層
４  カップ
５  連結部
【図１】
2005336645.tif 000003
【図２】
2005336645.tif 000004
【図３】
2005336645.tif 000005
【図４】
2005336645.tif 000006
【図５】
2005336645.tif 000007
【図６】
2005336645.tif 000008
【図７】
2005336645.tif 000009
【図８】
2005336645.tif 000010